(57)【要約】【課題】入力される映像信号に依存することなく焼き付き防止が可能なプラズマテレビジョンおよびプラズマ表示装置の提供を課題とする。【解決手段】  本発明において、反転回路２０は、階調データにおいて最もランダム性を有する最下位ビットで、最も階調の大小に大きく寄与する最上位ビットを置き替えている。これにより、反転回路２０にて加工された階調データはランダム性を有することとなる。従って、ＰＤＰパネル１３において、ランダムな画像を表示することが可能となり、各セルの温度分布を均一にし、焼き付きを解消することができる。【選択図】図２
2006267619.tif 000002
【特許請求の範囲】
【請求項１】
デジタル映像信号を入力して表示面にて映像を再現するプラズマ表示パネルを具備するプラズマテレビジョンにおいて、
放送電波から所用の信号を抽出し、アナログ映像信号を生成する選局手段と、
上記アナログ映像信号をデジタル映像信号に変換するＡ／Ｄ変換手段と、
上記Ａ／Ｄ変換手段と上記プラズマ表示パネルとの間に介在し、上記プラズマ表示パネルが上記Ａ／Ｄ変換手段から出力された上記デジタル映像信号を入力する状態において、ユーザーによる所定の操作が受け付けられた後、所定時間が経過するまで、上記デジタル映像信号の階調を表すデータをビット順位の低い順に並べ替えることを特徴とする反転手段とを具備することを特徴とするプラズマテレビジョン。
【請求項２】
デジタル映像信号を入力して表示面にて映像を再現するプラズマ表示パネルを具備するプラズマ表示装置において、
所定の条件に応じて上記デジタル映像信号の階調を表すデータの最上位ビットを最下位ビットで置き換えることを特徴とする反転手段とを具備することを特徴とするプラズマ表示装置。
【請求項３】
アナログ映像信号をデジタル映像信号に変換するＡ／Ｄ変換手段を具備するとともに、
上記反転手段は、上記Ａ／Ｄ変換手段と上記プラズマ表示パネルとの間に介在することを特徴とする請求項２に記載のプラズマ表示装置。
【請求項４】
上記反転手段は、上記プラズマ表示パネルが上記Ａ／Ｄ変換手段から出力された上記デジタル映像信号を入力する状態において、上記デジタル映像信号の階調を表すデータの最上位ビットを最下位ビットで置き換えることを特徴とする請求項３に記載のプラズマ表示装置。
【請求項５】
上記反転手段は、上記デジタル映像信号の階調を表すデータの最上位ビットを最下位ビットで置き換え開始後、所定時間の経過したとき、同置き換えを終了させることを特徴とする請求項２から請求項４のいずれかに記載のプラズマ表示装置。
【請求項６】
上記反転手段は、ユーザーによる所定の操作が受け付けられたとき、上記デジタル映像信号の階調を表すデータの最上位ビットを最下位ビットで置き換えることを特徴とする請求項２から請求項５のいずれかに記載のプラズマ表示装置。
【請求項７】
上記Ａ／Ｄ変換手段は、放送電波から所用の信号を抽出しアナログ映像信号を生成する選局手段から入力された上記アナログ映像信号を上記デジタル映像信号に変換することを特徴とする請求項３から請求項６のいずれかに記載のプラズマ表示装置。
【請求項８】
上記反転手段は、上記デジタル映像信号の階調を表すデータをビット順位の低い順に並べ替えることを特徴とする請求項２から請求項７のいずれかに記載のプラズマ表示装置。
【発明の詳細な説明】
【技術分野】
【０００１】
本発明は、デジタル映像信号を入力して表示面にて映像を再現するプラズマ表示パネルを具備するプラズマテレビジョンおよびプラズマ表示装置に関する。
【背景技術】
【０００２】
従来、この種のプラズマ表示装置として、表示画像が静止画である場合に、同静止画の反転画像をスクリーンセイバとして表示させるものが知られている（例えば、特許文献１参照。）。
かかる構成によれば、静止画を表示しているときに輝度が高かったセルは、スクリーンセイバの表示時において低輝度となる。反対に、静止画を表示しているときに輝度が低かったセルは、スクリーンセイバの表示時において高輝度となる。従って、スクリーンセイバの表示時において、前者のセルを冷却するとともに、後者のセルを加熱することができる。そのため、両セルの温度差は解消され、同温度差によって生じていた焼き付きを解消することが可能であった。
【特許文献１】特開平１１‐６５５４１号公報
【発明の開示】
【発明が解決しようとする課題】
【０００３】
上述したプラズマ表示装置は、静止画のときに焼き付きが防止されるものである。ところが、動画であっても動きが少ない動画においては、輝度分布に偏りが生じ、焼き付きが発生する。従って、静止画による焼き付きを対象とした従来技術においては、動きが少ない動画によって生じる焼き付きを解消することができないという課題があった。
【０００４】
また、動きが少ない動画に対しても反転動画をスクリーンセイバとして表示させることにより、同様に焼き付きを解消することができるとも考えられる。しかしながら、動きが少ない動画においては、輝度に変化があったセルも一部存在する。このようなセルについて、反転動画をスクリーンセイバとして表示させることにより、かえって焼き付きが助長されることとなる。例えば、高輝度から低輝度に転じたセルは反転動画において再度高輝度とされるため、温度上昇が著しいものとなる。一方、低輝度から高輝度に転じたセルは反転動画において再度低輝度とされるため、低温のままとなる。すなわち、局所的に焼き付きが助長されるため、動きが少ない動画に対して反転動画をスクリーンセイバとして表示させることができなかった。
【０００５】
本発明は、上記課題にかんがみてなされたもので、入力される映像信号に依存することなく焼き付き防止が可能なプラズマテレビジョンおよびプラズマ表示装置を提供することを目的とする。
【課題を解決するための手段】
【０００６】
上記目的を達成するために請求項２の発明は、デジタル映像信号を入力して表示面にて映像を再現するプラズマ表示パネルを具備するプラズマ表示装置において、
アナログ映像信号をデジタル映像信号に変換するＡ／Ｄ変換手段と、上記Ａ／Ｄ変換手段と上記プラズマ表示パネルとの間に介在し、所定の条件に応じて上記デジタル映像信号の階調を表すデータの最上位ビットを最下位ビットで置き換える反転手段とを具備する構成としてある。
【０００７】
上記のように構成した請求項２においては、プラズマ表示パネルの表示面において、デジタル映像信号に基づく映像が再現される。アナログ映像信号がＡ／Ｄ変換手段に入力され、同Ａ／Ｄ変換手段にてデジタル映像信号に変換される。さらに、デジタル映像信号は、反転手段を介してプラズマ表示パネルに入力され、上記デジタル映像信号に基づく映像が同プラズマ表示パネルの表示面にて再現される。
【０００８】
上記反転手段は、所定の条件に応じて上記デジタル映像信号の階調を表すデータの最上位ビットを最下位ビットで置き換える。すなわち、上記反転手段が動作する際には、本来は最下位ビットの値が、最上位ビットの値となるように上記デジタル映像信号が加工される。そして、ランダムな誤差が反映されやすい上記最下位ビットの値を、上記デジタル映像信号の上記階調の大小に最も寄与する最上位ビットの値として使用することができる。これにより、ランダムな画像が再現可能な上記デジタル映像信号を上記プラズマ表示パネルに出力することができる。従って、上記反転手段が動作する際には、上記デジタル映像信号の不均衡を解消し、焼き付きを解消することができる。むろん、最下位ビットのランダム性は上記アナログ映像信号に依存しないため、いかなるアナログ映像信号が入力された場合でも、焼き付き防止効果を発揮することができる。
【０００９】
さらに、請求項３にかかる発明は、アナログ映像信号をデジタル映像信号に変換するＡ／Ｄ変換手段を具備するとともに、上記反転手段は、上記Ａ／Ｄ変換手段と上記プラズマ表示パネルとの間に介在する構成としてある。
上記のように構成した請求項３の発明において、上記デジタル映像信号は上記Ａ／Ｄ変換手段にて生成されているため、Ａ／Ｄ変換時のサンプリング誤差等によって同デジタル映像信号の階調を表すデータの上記最下位ビットにランダム性を持たせることができる。これにより、ランダム性の高い画像が再現可能な上記デジタル映像信号を上記プラズマ表示パネルに出力することができる。
【００１０】
さらに、請求項４にかかる発明は、上記反転手段は、上記プラズマ表示パネルが上記Ａ／Ｄ変換手段から出力された上記デジタル映像信号を入力する状態において、上記デジタル映像信号の階調を表すデータの最上位ビットを最下位ビットで置き換える構成としてある。
上記のように構成した請求項４の発明において、上記デジタル映像信号の階調を表すデータの最下位ビットにランダム性が付与される状態において、同データの最上位ビットを最下位ビットで置き換えることとしている。これにより、焼き付き防止効果が発揮される状態において、上記反転手段を動作させることができる。
【００１１】
また、請求項５にかかる発明は、上記反転手段は、上記デジタル映像信号の階調を表すデータの最上位ビットを最下位ビットで置き換え開始後、所定時間の経過したとき、同置き換えを終了させる構成としてある。
上記のように構成した請求項５の発明において、所定時間の経過するまで、上記デジタル映像信号の階調を表すデータの最上位ビットを最下位ビットで置き換えを継続する。すなわち、ある程度まで焼き付きが解消されたところで、通常の表示を行わせることができる。
【００１２】
さらに、請求項６にかかる発明は、上記反転手段は、ユーザーによる所定の操作が受け付けられたとき、上記デジタル映像信号の階調を表すデータの最上位ビットを最下位ビットで置き換える構成としてある。
上記のように構成した請求項６の発明において、ユーザーの操作に応じて上記反転手段を動作させることができる。すなわち、ユーザーの要望に応じて、焼き付き防止を実行することができる。
【００１３】
さらに、請求項７にかかる発明は、上記Ａ／Ｄ変換手段は、放送電波から所用の信号を抽出しアナログ映像信号を生成する選局手段から入力された上記アナログ映像信号を上記デジタル映像信号に変換する構成としてある。
上記のように構成した請求項７の発明において、放送電波から所用の信号を抽出しアナログ映像信号を生成する選局手段が備えられ、同選局手段から入力された上記アナログ映像信号を上記Ａ／Ｄ変換手段が上記デジタル映像信号に変換する。すなわち、テレビジョンの受信時において、ランダム性の高い画像を上記プラズマ表示パネルにて再現し、焼き付きを防止することができる。
【００１４】
さらに、請求項８にかかる発明は、上記反転手段は、上記デジタル映像信号の階調を表すデータをビット順位の低い順に並べ替える構成としてある。
上記のように構成した請求項８の発明において、ランダム性を有する可能性が高いビットの値ほど、上記デジタル映像信号の階調の大小の寄与が高いビットの値として使用されることとなる。従って、ランダム性の高い画像を上記プラズマ表示パネルにて再現し、焼き付きを防止することができる。
【００１５】
以上の構成を踏まえたうえで、請求項１の発明は、デジタル映像信号を入力して表示面にて映像を再現するプラズマ表示パネルを具備するプラズマテレビジョンにおいて、
放送電波から所用の信号を抽出し、アナログ映像信号を生成する選局手段と、上記アナログ映像信号をデジタル映像信号に変換するＡ／Ｄ変換手段と、上記Ａ／Ｄ変換手段と上記プラズマ表示パネルとの間に介在し、上記プラズマ表示パネルが上記Ａ／Ｄ変換手段から出力された上記デジタル映像信号を入力する状態において、ユーザーによる所定の操作が受け付けられた後、所定時間が経過するまで、上記デジタル映像信号の階調を表すデータをビット順位の低い順に並べ替えることを特徴とする反転手段とを具備する構成としてある。
【００１６】
このような、より具体的な構成において上述した請求項２〜請求項８の各発明と同様の作用を奏することは言うまでもない。
また、本発明にかかる技術的思想は、上記各手段が実行する処理と同様の処理をコンピュータに実行させるプログラムの発明としても把握できる。
【発明の効果】
【００１７】
以上説明したように請求項１および請求項２の発明によれば、入力される映像信号に依存することなく焼き付き防止が可能なプラズマテレビジョンおよびプラズマ表示装置を提供することができる。
請求項３の発明によれば、ランダム性の高い画像を表示して、焼き付きを防止することができる。
請求項４の発明によれば、焼き付き防止効果が高くなる状態において、焼き付き防止画像を表示させることができる。
【００１８】
請求項５の発明によれば、通常の表示に復帰することができる。
請求項６の発明によれば、ユーザーの要望に応じて焼き付きを防止することができる。
請求項７の発明によれば、テレビジョン受信時において焼き付きを防止することができる。
請求項８の発明によれば、ランダム性の高い画像を表示して焼き付きを防止することができる。
【発明を実施するための最良の形態】
【００１９】
以下の順序に従って本発明の実施形態を説明する。
（１）プラズマテレビジョンの構成：
（２）反転回路の構成：
（３）信号切替処理：
（４）変形例：
（５）まとめ：
【００２０】
（１）第一の実施形態：
図１は、本発明にかかるプラズマ（ＰＤＰ）テレビジョンの一実施形態における構成を示したブロック構成図である。
同図において、ＰＤＰテレビジョン１０は、概略、チューナ１１と、ビデオ信号処理回路１２と、ＰＤＰパネル１３と、マイコン１４と、セレクタ回路１５と、反転回路２０から構成されている。ビデオ信号処理回路１２は内部にデジタル信号処理回路１２ａと、調整回路１２ｂとを有し、ＩＩＣバス等のバス１２ｅを介して、制御回路１２ｃと、マイコンＩ／Ｆ１２ｄとが接続されている。このマイコンＩ／Ｆにはマイコン１４が接続されており、マイコン１４は、マイコンＩ／Ｆ１２ｄを介して、ビデオ信号処理回路１２の各回路の制御を実行可能になっている。
【００２１】
ここで、マイコン１４には操作パネル１４ａとリモコンＩ／Ｆ１４ｂとＲＯＭ１４ｃとＲＡＭ１４ｄとフラッシュメモリスロット１４ｅとタイマ１４ｆとが接続されており、当該マイコン１４はＲＯＭ１４ｃに予め格納されている各種制御プログラムを読み出して、ＲＡＭ１４ｄをワークエリアとしつつ実行し、上述した各回路の制御を実行する。また、フラッシュメモリスロット１４ｅには、例えばコンパクトフラッシュメモリ等の可搬メモリを装着することが可能となっており、同可搬メモリに記憶されたデジタル画像データをマイコン１４が取得することが可能となっている。マイコン１４にて取得されたデジタル画像データは、後述するフレームメモリ１２ｂ２に書き込まれ、プラズマ表示（ＰＤＰ）パネル１３にて表示される。
【００２２】
ここで、ＰＤＰパネル１３は、多数の放電セルが表示面にドットマトリクス状に配列した表示素子であり、各放電セルに封入されたプラズマが発光する。プラズマから発光された光は、所定の蛍光体に衝突し、ＲＧＢの可視光に変換される。各放電セルにおける発光量（輝度）を制御することにより、ＲＧＢの可視光のバランスを調整することができる。これにより、ＲＧＢのセルで構成される一画素を所望の色および輝度で発光させることができる。
【００２３】
チューナ１１は、アナログテレビ用のチューナであり、接続するアンテナ１１ａにてテレビジョン放送電波を受信する。そして、同チューナ１１からは、受信したテレビジョン放送電波に基づいたアナログ映像信号としてのテレビジョン放送信号（コンポジットビデオ信号）が出力される。また、このＰＤＰテレビジョン１０は、外部入力端子としてＶＴＲからのアナログ映像信号（コンポジットビデオ信号）を入力するための外部入力端子１５ａと、ＬＤプレイヤーからのアナログ映像信号（コンポジットビデオ信号）を入力するための外部入力端子１５ｂと、ＤＶＤプレイヤーからのアナログ映像信号（コンポジットビデオ信号）を入力するための外部入力端子１５ｃとを備えている。
【００２４】
チューナ１１および外部入力端子１５ａ〜１５ｃは、セレクタ回路１５に接続されており、チューナ１１から出力されるコンポジットビデオ信号（テレビジョン放送信号）および外部入力端子１５ａから入力されるコンポジットビデオ信号と外部入力端子１５ｂから入力されるコンポジットビデオ信号と外部入力端子１５ｃから入力されるコンポジットビデオ信号とのうちから、１つのコンポジットビデオ信号を選択可能になっている。この選択は、マイコン１４に接続された操作パネル１４ａおよびリモコンＩ／Ｆ１４ｂを介して入力されるリモコンによる操作によって行われる。セレクタ回路１５によって選択されたコンポジットビデオ信号は、ビデオ信号処理回路１２に送出される。この送出されたコンポジットビデオ信号は、ビデオ信号処理回路１２内部のデジタル信号処理回路１２ａに入力される。
【００２５】
このデジタル信号処理回路１２ａは、Ａ／Ｄ変換回路１２ａ１と、Ｙ／Ｃ分離回路１２ａ２と、クロマデコーダ回路１２ａ３と、画質調整回路１２ａ４と、マトリクス回路１２ａ５とを有している。かかる構成において、Ａ／Ｄ変換回路１２ａ１は、コンポジットビデオ信号を入力すると、このコンポジットビデオ信号における白レベルと黒レベルとの間の所定の信号レベル範囲を各信号レベルに応じた階調のデジタル信号に変換する。以降の所定の信号処理はこのデジタル信号に基づいて実行されることになる。Ｙ／Ｃ分離回路１２ａ２はこのデジタル信号に基づいてＹ信号とＣ信号への分離処理を行う、分離後のＹ信号およびＣ信号はクロマデコーダ回路１２ａ３に入力され、所定の信号処理が行われた後にＹＵＶ信号として出力される。
【００２６】
デジタル信号処理回路１２ａの画質調整回路１２ａ４は、ＹＵＶ信号に対して、シャープネス、色彩およびＴＩＮＴの調整を行う。マトリクス回路１２ａ５は、画質調整回路１２ａ４によって画質調整が施されたＹＵＶ信号に対してＲＧＢマトリクス変換処理を行って、ＲＧＢデータを生成する。この生成されたＲＧＢデータは調整回路１２ｂに送出される。調整回路１２ｂは、画素数変換回路１２ｂ１と、画質調整回路１２ｂ２と、出力処理回路１２ｂ３と、フレームメモリ１２ｂ４とを有している。画素数変換回路１２ｂ１は、デジタル信号処理回路１２ａにて生成されたＲＧＢデータを入力し、このＲＧＢデータに対して、スケーリング処理を行いつつ、ＰＤＰパネル１３に表示される１画面分のＲＧＢデータを生成する。そして、この１画面分のＲＧＢデータをフレームメモリ１２ｂ４に格納する。本実施形態において、ＰＤＰパネル１３の各セルに対応するＲＧＢの階調データは、それぞれ２５６階調（８ビット）で表現されているものとする。そして、階調データに略比例した輝度で各セルのプラズマが発光させられる。
【００２７】
また、調整回路１２ｂの画質調整回路１２ｂ２は、画素数変換回路１２ｂ１によってスケーリング処理が施され、フレームメモリ１２ｂ４に格納されたＲＧＢデータに対して、ブライトネス、コントラスト、黒バランスおよび白バランスの調整を行う。出力処理回路１２ｂ３は、画質調整回路１２ｂ２によって画質調整が施されたＲＧＢの階調データに対して、ガンマ補正、ディザ処理等を行うとともに、背景信号、ＯＳＤ信号、ブランキング信号等を付加して、反転回路２０に同階調データを出力する。
【００２８】
後に詳述する反転回路２０は、階調データに対して所定の加工を行い、後段のＰＤＰパネル１３に対して同階調データを出力する。上述したようにセレクタ回路１５にて選択された選択先から入力されるコンポジットビデオ信号は、デジタル信号処理回路１２ａのＡ／Ｄ変換回路１２ａ１に入力されデジタル信号に変換される。そして、ＰＤＰパネル１３は、このデジタル信号に基づいて加工されたＲＧＢの階調データに応じて各セルを放電させることにより、表示面にて画像を再現する。ただし、フラッシュメモリスロット１４ｅからマイコン１４にて取得されたデジタル画像データについては、Ａ／Ｄ変換回路１２ａ１を経由することなく、フレームメモリ１２ｂ２に書き込まれ、プラズマ表示（ＰＤＰ）パネル１３にて表示される。
【００２９】
（２）反転回路の構成：
図２は、反転回路２０の回路構成を示している。同図において、反転回路２０は、交差回路２１とスイッチ部２２とから構成されている。交差回路は２２は入力端子Ｂ０〜Ｂ７を有しており、各入力端子Ｂ０〜Ｂ７に輝度階調を表現する８ビットパラレルデータが入力される。入力端子Ｂ０には上記パラレルデータの最上位（最も桁が高い）ビットの信号が入力され、入力端子Ｂ１には第２ビットの信号が入力され、入力端子Ｂ２には第３ビットの信号が入力され、入力端子Ｂ３には第４ビットの信号が入力され、入力端子Ｂ４には第５ビットの信号が入力され、入力端子Ｂ５には第６ビットの信号が入力され、入力端子Ｂ６には第７ビットの信号が入力され、入力端子Ｂ７には最下位ビットの信号が入力される。
【００３０】
スイッチ部２２は、ダイオードやバイポーラやトランジスタやＭＯＳＦＥＴ等を利用したスイッチ素子Ｓ０〜Ｓ７を備えており、各スイッチ素子Ｓ０〜Ｓ７はマイコン１４から出力される選択信号を入力している。スイッチ素子Ｓ０は、上記選択信号に応じて端子Ｓ０ａ，Ｓ０ｂのいずれかに接続することが可能となっている。同様に、各スイッチ素子Ｓ１〜Ｓ７も、上記選択信号に応じて端子Ｓ１ａ，Ｓ１ｂ，Ｓ２ａ，Ｓ２ｂ，Ｓ３ａ，Ｓ３ｂ，Ｓ４ａ，Ｓ４ｂ，Ｓ５ａ，Ｓ５ｂ，Ｓ６ａ，Ｓ６ｂ，Ｓ７ａ，Ｓ７ｂのいずれかに接続することが可能となっている。なお、上記選択信号がローであるときに、各スイッチ素子Ｓ０〜Ｓ７は紙面上側の端子Ｓ０ａ，Ｓ１ａ，Ｓ２ａ，Ｓ３ａ，Ｓ４ａ，Ｓ５ａ，Ｓ６ａ，Ｓ７ａと接続する。一方、上記選択信号がハイであるときに、各スイッチ素子Ｓ０〜Ｓ７は紙面下側の端子Ｓ０ｂ，Ｓ１ｂ，Ｓ２ｂ，Ｓ３ｂ，Ｓ４ｂ，Ｓ５ｂ，Ｓ６ｂ，Ｓ７ｂと接続する。
【００３１】
交差回路２１の入力端子Ｂ０に入力された階調データの最上位ビットは、交差回路２１にて分岐し、スイッチ素子Ｓ０の端子Ｓ０ａおよびスイッチ素子Ｓ７の端子Ｓ７ｂに到達する。交差回路２１の入力端子Ｂ１に入力された第２ビットは、交差回路２１にて分岐し、スイッチ素子Ｓ１の端子Ｓ１ａおよびスイッチ素子Ｓ６の端子Ｓ６ｂに到達する。交差回路２１の入力端子Ｂ２に入力された階調データの第３ビットは、交差回路２１にて分岐し、スイッチ素子Ｓ２の端子Ｓ２ａおよびスイッチ素子Ｓ５の端子Ｓ５ｂに到達する。交差回路２１の入力端子Ｂ３に入力された階調データの第４ビットは、交差回路２１にて分岐し、スイッチ素子Ｓ３の端子Ｓ３ａおよびスイッチ素子Ｓ４の端子Ｓ４ｂに到達する。
【００３２】
さらに、同様に交差回路２１の入力端子Ｂ４に入力された階調データの第５ビットは、交差回路２１にて分岐し、スイッチ素子Ｓ４の端子Ｓ４ａおよびスイッチ素子Ｓ３の端子Ｓ３ｂに到達する。交差回路２１の入力端子Ｂ５に入力された階調データの第６ビットは、交差回路２１にて分岐し、スイッチ素子Ｓ５の端子Ｓ５ａおよびスイッチ素子Ｓ２の端子Ｓ２ｂに到達する。交差回路２１の入力端子Ｂ６に入力された階調データの第７ビットは、交差回路２１にて分岐し、スイッチ素子Ｓ６の端子Ｓ６ａおよびスイッチ素子Ｓ１の端子Ｓ１ｂに到達する。交差回路２１の入力端子Ｂ６に入力された階調データの最終ビットは、交差回路２１にて分岐し、スイッチ素子Ｓ７の端子Ｓ７ａおよびスイッチ素子Ｓ０の端子Ｓ０ｂに到達する。
【００３３】
スイッチ素子Ｓ０〜Ｓ７は、反転回路２０の各出力端子Ｏ０〜Ｏ７と接続している。各出力端子Ｏ０〜Ｏ７は、ＰＤＰパネル１３に接続されており。ＰＤＰパネル１３は、出力端子Ｏ０〜Ｏ７に出力されたパラレルデータを入力し、同パラレルデータに基づいて対応するセルにて放電を行う。例えば、図３に示すように反転回路２０に対して最上位から各ビットが”１，０，１，０，１，０，１，０”で表される階調データが入力されたとする。なお、この階調データを１０進数で表現すると、”１７０”となる。すると、各入力端子Ｂ０〜Ｂ７に”１，０，１，０，１，０，１，０”の信号レベルが入力される。
【００３４】
ここで、スイッチ部２２に入力された選択信号がローである場合には、各スイッチ素子Ｓ０〜Ｓ７は紙面上側の端子Ｓ０ａ，Ｓ１ａ，Ｓ２ａ，Ｓ３ａ，Ｓ４ａ，Ｓ５ａ，Ｓ６ａ，Ｓ７ａと接続するため、各出力端子Ｏ０〜Ｏ７には”１，０，１，０，１，０，１，０”の信号レベルが出力されることとなる。従って、出力端子Ｏ０〜Ｏ７からＰＤＰパネル１３に出力されるパラレルデータは、最上位からから各ビットが”１，０，１，０，１，０，１，０”となるデータとなる。すなわち、スイッチ部２２に入力された選択信号がローである場合には、反転回路２０は、入力された階調データに加工を行うことなく、後段のＰＤＰパネル１３に同階調データを出力する。
【００３５】
これに対して、スイッチ部２２に入力された選択信号がハイである場合には、図４に示すように各スイッチ素子Ｓ０〜Ｓ７は紙面下側の端子Ｓ０ｂ，Ｓ１ｂ，Ｓ２ｂ，Ｓ３ｂ，Ｓ４ｂ，Ｓ５ｂ，Ｓ６ｂ，Ｓ７ｂと接続するため、Ｐ／Ｓ変換部２４の各出力端子Ｏ０〜Ｏ７には”０，１，０，１，０，１，０，１”のレベルが入力されることとなる。従って、出力端子Ｏ０〜Ｏ７からＰＤＰパネル１３に出力されるパラレルデータは、最上位から各ビットが”０，１，０，１，０，１，０，１”となるデータとなる。すなわち、スイッチ部２２に入力された選択信号がハイである場合には、反転回路２０は、入力された階調データをビット順位の低い順に並べ替えて、後段のＰＤＰパネル１３に同並べ替えた階調データを出力する。なお、このときＰＤＰパネル１３に入力される階調データを１０進数で表すと、”８５”となる。
【００３６】
（３）信号切替処理：
図５は、信号切替処理の流れを示している。同図において、ステップＳ１００において選択信号がローに設定されている。すなわち、通常の表示においては、入力された映像信号に忠実に映像を再現する必要があるため、原則的にマイコン１４がローの選択信号を出力し、反転回路２０が階調データを加工しないように設定される。ステップＳ１１０においては、焼き付き防止モードを実行する旨の指示入力を受け付けており、同指示が受け付けられない限り、マイコン１４はローの選択信号の出力を継続する。なお、マイコン１４がリモコンＩ／Ｆ１４ｂまたは操作パネル１４ａを介して、ユーザーからの指示入力を受け付けている。
【００３７】
一方、ステップＳ１１０において、焼き付き防止モードを実行する旨の指示入力が受け付けられると、ステップＳ１２０を実行する。ステップＳ１２０においては、現在のＡ／Ｄ変換回路１２ａ１を経由した映像ソースがＰＤＰパネル１３にて表示されているかどうかが確認される。マイコン１４は、セレクタ回路１５やフラッシュメモリスロット１４ｅの動作を管理しているため、どのような画像ソースをＰＤＰパネル１３にて表示されているかを確認することができる。
【００３８】
ここで、チューナ１１から入力された映像信号に基づいてＰＤＰパネル１３の表示が行われているテレビモードと、外部入力端子１５ａ〜１５ｃから入力された映像信号に基づいてＰＤＰパネル１３の表示が行われているビデオ入力モードにおいては、Ａ／Ｄ変換回路１２ａ１を経由した映像ソースがＰＤＰパネル１３にて表示されるため、ステップＳ１３０が実行される。一方、フラッシュメモリスロット１４ｅから読み出したデジタル画像データに基づいてＰＤＰパネル１３の表示が行われているデジカメモードにおいては、Ａ／Ｄ変換回路１２ａ１を経由しない映像ソースがＰＤＰパネル１３にて表示されるため、ステップＳ１００が実行される。すなわち、ユーザーの指示は無視され、通常の表示が継続されることとなる。
【００３９】
ステップＳ１３０においては、マイコン１４がハイの選択信号を出力する。上述したように、マイコン１４がハイの選択信号を出力すると、ＰＤＰパネル１３にはビット順位の低い順に並べ替えられた階調データが入力されることとなる。これにより、本来、Ａ／Ｄ変換回路１２ａ１を経由して入力された映像信号に依存することなく、ランダムな画像をＰＤＰパネル１３にて表示することができる。Ａ／Ｄ変換回路１２ａ１にてデジタル映像信号を生成する際には、サンプリング誤差等によって生成される階調にわずかなランダム誤差が生じることとなる。むろん、全体の階調に対してわずかな誤差であるため、このランダム誤差が通常の表示を劣化させることはない。また、このランダム誤差は、階調データにおける下位ビットに表れる。
【００４０】
例えば、１０進数において、”１７１”に対して上下”１”の誤差がある場合には、２進数の階調データは”１，０，１，０，１，０，１，０”（＝１７０）または”１，０，１，０，１，０，１，１”（＝１７１）または”１，０，１，０，１，０，０，１”（＝１６９）のいずれかとなる。これらの階調データにおいて、上位ビットは差異がないのに対して、下位ビットには大きな差異が見られる。そして、これらの階調データを反転回路２０にてビット順位の低い順に並べ替えすると、それぞれ階調データは”０，１，０，１，０，１，０，１”（＝８５）と”１，１，０，１，０，１，０，１”（＝１０６）と”１，０，０，１，０，１，０，１，”（＝１４９）となる。すなわち、Ａ／Ｄ変換回路１２ａ１のランダム誤差によって大きな差異が見られた下位ビットで、階調の大小に大きく寄与する上位ビットを置き換えることにより、大きな階調の変化を生じさせることができる。
【００４１】
従って、Ａ／Ｄ変換回路１２ａ１の特性上ランダムに発生するランダム誤差に応じて、ＰＤＰパネル１３の各セルにおける放電強度を大きく変動させることができる。例えば、画像が一色で構成されるべた映像信号が入力された場合でも、ＰＤＰパネル１３の各セルごとに異なるランダム誤差が大きく反映された階調で放電が行われることとなる。従って、ＰＤＰパネル１３の各セルを位置ごとに偏りなく放電させることができ、ＰＤＰパネル１３の焼き付きを防止することができる。また、静止画像を入力する場合であっても、Ａ／Ｄ変換回路１２ａ１は経時的にランダム誤差を変動させるため、各セル放電強度を経時的に変動させることができる。このように、ＰＤＰパネル１３の各セルの放電強度を位置的および経時的にランダム化することにより、各セルの温度差を解消し、ＰＤＰパネル１３の焼き付きを防止することができる。
【００４２】
ステップＳ１３０においては、マイコン１４がハイの選択信号出力を開始するとともに、タイマ１４ｆにて計時をスタートさせる。そして、ステップＳ１４０において、ステップＳ１３０実行から３０秒経過したことを確認すると、ステップＳ１００に戻り、マイコン１４がローの選択信号を出力させる。すなわち、焼き付き防止が完了したとして、通常の映像表示に復帰する。なお、焼き付き防止が完了まで時間は、ＰＤＰパネル１３の特性によって異なるため、ＰＤＰパネル１３の特性に適合した時間を設定しておくことが望ましい。
【００４３】
（４）変形例：
以上説明したように、反転回路２０にて階調データをビット順位の低い順に並べ替えることにより、ランダムな画像データを作成し、焼き付き防止を実現することができる。ただし、ランダムな画像データを作成するにあたっては、必ずしも階調データをビット順位の低い順に並べ替える必要はない。例えば、図６のような反転回路１２０を適用してもよい。同図において、反転回路１２０は、選択信号がハイであるときに、最下位ビットと最上位ビットとが入れ替えられる回路構成となっている。この場合であっても、ランダム性を有する最下位ビットで、階調の大小に大きく寄与する最上位ビットを置き換えることができるため、階調に大きなランダム性を付与することができる。
【００４４】
また、図６においては、入力端子Ｉ０〜Ｉ９および出力端子Ｏ０〜Ｏ９がそれぞれ１０個設けられており、１０ビットの階調データと取り扱うことが可能となっている。階調データのビット数は種々考えられ、そのビット数に応じた反転回路を形成しておけばよい。また、反転回路２０はＡ／Ｄ変換回路１２ａ１よりも後段に配置されればよく、ＰＤＰパネル１３の直前に配置される必要はない。従って、例えばデジタル信号処理回路１２ａと調整回路１２ｂとの間に、反転回路２０を介在させてもよい。また、階調データがパラレル転送される区間において反転回路２０を介在させるものを例示したが、階調データがシリアル転送される区間に反転回路２０を配置してもよい。また、反転回路２０と同様の機能をソフトウェアによって行ってもよい。
【００４５】
さらに、本発明はテレビジョンに限られず、映像信号を入力しＰＤＰパネルにて画像を表示するいかなる表示装置に対しても適用することができる。すなわち、ＰＤＰパネルよりも前段に反転手段が備えられていれば、ランダム性を有する画像データをＰＤＰパネルに出力してＰＤＰパネルの焼き付きを防止することができる。なお、このような表示装置においてデジタルカメラ等の光学機器によって作成された画像データを表示する場合にも、本発明によってランダムな画像を表示することができる。
【００４６】
すなわち、反転手段を有する表示装置自体がＡ／Ｄ変換手段を備えない場合であっても、デジタルカメラ等の光学機器が有するＡ／Ｄ変換手段がその代替となるため、デジタルカメラ等の画像データからランダム性のある画像を作成することができる。従って、必ずしも上述した実施形態のようにデジカメモードでは焼き付き防止を実行させないようにしなくてもよい。ただし、デジタルスチルカメラ等の静止画像データを表示する場合には、ランダム誤差が経時的に変化しないため、Ａ／Ｄ変換手段を使用した場合と比較してランダム性がやや劣ることとなる。
【００４７】
（５）まとめ：
以上説明したように、本発明において、反転回路２０は、階調データにおいて最もランダム性を有する最下位ビットで、最も階調の大小に大きく寄与する最上位ビットを置き替えている。これにより、反転回路２０にて加工された階調データはランダム性を有することとなる。従って、ＰＤＰパネル１３において、ランダムな画像を表示することが可能となり、各セルの温度分布を均一にし、焼き付きを解消することができる。
【図面の簡単な説明】
【００４８】
【図１】本発明にかかるＰＤＰテレビジョンの概略ブロック図である。
【図２】反転回路の回路図である。
【図３】反転回路の動作説明図である。
【図４】反転回路の動作説明図である。
【図５】信号切替処理の流れを示すフローチャートである。
【図６】変形例にかかる反転回路の回路図である。
【符号の説明】
【００４９】
１０…プラズマ表示（ＰＤＰ）テレビジョン
１１…チューナ
１２…ビデオ信号処理回路
１２ａ１…Ａ／Ｄ変換回路
１３…プラズマ表示（ＰＤＰ）パネル
１４…マイコン
１４ａ…操作パネル
１４ｃ…ＲＯＭ
１４ｄ…ＲＡＭ
１４ｅ…フラッシュメモリスロット
１４ｆ…タイマ
１５…セレクタ回路
１５ａ〜１５ｃ…外部入力端子
２０…反転回路
２１…交差回路
２２…スイッチ部
Ｂ０〜Ｂ７…入力端子
Ｏ０〜Ｏ７…出力端子
Ｓ０〜Ｓ７…スイッチ素子
【図１】
2006267619.tif 000003
【図２】
2006267619.tif 000004
【図３】
2006267619.tif 000005
【図４】
2006267619.tif 000006
【図５】
2006267619.tif 000007
【図６】
2006267619.tif 000008